(57)【要約】  本発明は、多分散系であり、かつＳ／Ｄ比として定義される係数Ｌを有するイヌリン生成物であって：・Ｓが、全炭水化物に対する重量％で表される前記イヌリン生成物中の化合物ＧＦ２、Ｆ３、およびＦ４の和に等しく；・Ｄが［（Ｆｉ／Ｇｉ）＋１］に等しく、Ｆは、イヌリン生成物中のイヌリン関連フルクトースの量であり、Ｇｉが、イヌリン生成物中のイヌリン関連グルコースの量であり、ＦｉおよびＧｉは全炭水化物に対する重量％で表され、Ｌの値が２．０〜３．０の範囲にあり、かつ全炭水化物に対するイヌリン生成物３〜２０重量％が：・ＧＦｎ化合物（ｎは１０以上である）かつ／または・Ｆｍ化合物（ｍは１１以上である）からなる、イヌリン生成物に関する。本発明はさらに、イヌリン生成物を製造する方法に関する。【選択図】なし【特許請求の範囲】
【請求項１】
多分散系であり、かつＳ／Ｄ比として定義される係数Ｌを有するイヌリン生成物において、
・Ｓが、全炭水化物に対する重量％で表される前記イヌリン生成物中の化合物ＧＦ２、Ｆ３、およびＦ４の和に等しく；
・Ｄが、［（Ｆｉ／Ｇｉ）＋１］に等しく、Ｆｉが、前記イヌリン生成物中のイヌリン関連フルクトースの量であり、Ｇｉが、前記イヌリン生成物中のイヌリン関連グルコースの量であり、ＦｉおよびＧｉは全炭水化物に対する重量％で表され；
Ｌの値が２．０〜３．０の範囲にあり、かつ全炭水化物に対して前記イヌリン生成物３〜２０重量％が、
・ＧＦｎ化合物（ｎは１０以上である）かつ／または
・Ｆｍ化合物（ｍは１１以上である）
からなることを特徴とする、イヌリン生成物。
【請求項２】
請求項１に記載のイヌリン生成物において、遊離グルコース、遊離フルクトース、およびスクロースなどの非イヌリン炭水化物を、全炭水化物に対して最大で３０重量％含有することを特徴とする、イヌリン生成物。
【請求項３】
請求項１乃至２の何れか一項に記載のイヌリン生成物において、Ｌの値が２．２〜２．８にあることを特徴とする、イヌリン生成物。
【請求項４】
請求項１乃至３の何れか一項に記載のイヌリン生成物において、天然チコリーイヌリンから調製されることを特徴とする、イヌリン生成物。
【請求項５】
水または水相に分散または溶解されたイヌリン生成物からなる、水性分散液または水溶液において、前記イヌリン生成物が、請求項１乃至４の何れか一項に記載のイヌリン生成物であることを特徴とする、水性分散液または水溶液。
【請求項６】
請求項１乃至５の何れか一項に記載のイヌリン生成物または水性分散液または水溶液を含有することを特徴とする、食品。
【請求項７】
請求項１乃至５の何れか一項に記載のイヌリン生成物または水性分散液または水溶液を含有することを特徴とする、動物の餌またはペットフード製品。
【請求項９】
・イヌリン原料を水溶液状態にして、イヌリン溶液を形成する調製工程であって、イヌリン原料が２．０未満の係数Ｌの値を有し、かつ前記イヌリン原料が、ＧＦｎ化合物（ｎは１０以上である）および／またはＦｍ化合物（ｍは１１以上である）を８〜７５重量％含有する、工程；
・前記イヌリン溶液中の前記イヌリン原料の加水分解を行い、その結果、イヌリン生成物が形成される、転化工程；
を含むことを特徴とする、請求項１乃至４の何れか一項に記載のイヌリン生成物を製造するプロセス。
【請求項１０】
請求項９に記載のプロセスにおいて、前記イヌリン原料が天然チコリーイヌリンであることを特徴とする、プロセス。
【請求項１１】
請求項１０に記載のプロセスにおいて、前記天然チコリーイヌリンが、０．２５〜０．７５にあるＬ値を有することを特徴とする、プロセス。
【発明の詳細な説明】
【技術分野】
【０００１】
本発明はイヌリン生成物に関する。チコリーの根からの天然イヌリンなどのイヌリン生成物の一般的な特徴は、水に入れると、イヌリン生成物は容易にゲル形成を引き起こし、これが、固形分６０％、６５％、または７０％以上の濃度など、高濃度で行われるとなおさらゲル形成される。かかるゲル形成は時に望まれるが、不要である場合も多い。
【０００２】
本発明の目的は、イヌリンに伴う一般的かつ望ましい特性を提供すると同時に、ゲル形成に対して明らかに低い傾向を有するイヌリン生成物を提供することである。
【０００３】
本発明に従って、イヌリン生成物は多分散系であり、かつＳ／Ｄ比として定義される係数Ｌを有し：
・Ｓは、全炭水化物に対して重量％で表されるイヌリン生成物における化合物ＧＦ２、Ｆ３、およびＦ４の和に等しく；
・Ｄは、［（Ｆｉ／Ｇｉ）＋１］に等しく、式中、Ｆｉは、イヌリン生成物中のイヌリン関連フルクトースの量であり、Ｇｉは、イヌリン生成物中のイヌリン関連グルコースの量であり、ＦおよびＧは、全炭水化物に対して重量％で表され、Ｌの値は、２．０〜３．０であり、かつ全炭水化物に対してイヌリン生成物３〜２０重量％は、
・ＧＦｎ化合物（ｎは１０以上である）、かつ／または
・Ｆｍ化合物（ｍは１１以上である）からなる。
【０００４】
本発明のイヌリン生成物の利点は、水性分散液中のゲル形成の傾向が大幅に低減されているか、またはその傾向がないことである。
【背景技術】
【０００５】
米国特許出願公開第Ａ−２００１／０１６５７２号明細書は、式ＧＦｎ（ｎおよびｍは２〜２０である）の末端グルコースを有するフルクトース単位の鎖によって構成されるフルクトオリゴ糖の乾燥物を少なくとも９３．５重量％含有する、グルコース（Ｇ）、フルクトース（Ｆ）およびサッカロース（ＧＦ）において乏しく、かつ乾燥物で合計５重量％未満のグルコース、フルクトースおよびサッカロースの内容物を含む、多分散系サッカリド組成物を調製する方法に関する。この方法は、フルクタンを含有する物質を部分的加水分解にかけることにあり、前記物質は、平均重合度７以上のフルクタンを含有し、かつ乾燥物で最大で合計３．５重量％のグルコース、フルクトースおよびサッカロースを含有する。
【０００６】
国際公開第Ａ−２００９／１２９９８５号パンフレットは、フルクタン含有粒子の水性分散液であって、そのフルクタン含有粒子のＤ５０が２μｍ〜５０μｍにあり、水性分散液の固形分が全体として、６１重量％〜８０重量％である、水性分散液に関する。本発明はさらに、フルクタン含有粒子の水性分散液を調製するプロセスであって、ａ）フルクタンおよび水を合わせて、混合物を形成する工程；ｂ）任意に、混合物中のフルクタンの一部が加水分解され、その結果、この工程ｂ）の最後に、混合物中のすべてのフルクタンの５重量％〜２５重量％が室温で本質的に不溶性となる、加水分解工程；ｃ）任意に、混合物を精製剤（ｐｕｒｉｆｉｃａｔｉｏｎ  ａｇｅｎｔ）と接触させ、続いて混合物から精製剤を除去する、精製工程；ｄ）固形分が６１〜８０％になるように混合物が濃縮され、それによって、水性分散液が形成される、濃縮工程；を含むプロセスに関する。
【発明の概要】
【０００７】
本発明は、イヌリン生成物に関する。イヌリン自体は公知であり、本明細書において、任意にグルコース開始単位とのフルクトシル−フルクトース連結から主になる、通常、多分散系−炭水化物オリゴマーまたはポリマーである一般的な意味を有する。イヌリンにおけるフルクトシル−フルクトース連結は、主にβ（２→１）タイプである。
【０００８】
本明細書で使用される、イヌリンという用語の意味は、オリゴフルクトースとして知られる化合物なども包含し；イヌリン化合物である、オリゴフルクトースが代表的であり、そのため重合度（ＤＰ）が２〜１０の範囲である。実際には、オリゴフルクトースは、フルクトオリゴ糖とも呼ばれ、本明細書において意味されるように、これらの用語は同義語とみなされる。
【０００９】
グルコース単位は本明細書において、「Ｇ」と呼ばれ、フルクトース単位は本明細書において、「Ｆ」と呼ばれる。したがって、スクロースは、「ＧＦ」と表すことができ、個々のイヌリン化合物は、「ＧＦｎ」または「Ｆｍ」と表すことができ、ｎおよびｍは、２以上の値を有する整数である。
【００１０】
本発明によるイヌリン生成物は多分散系である。本明細書で使用される多分散系という用語は、関心のある生成物が、異なる重合度の化合物の混合物からなることを示す意味を有する。
【００１１】
本発明のイヌリン生成物の重要な特徴の１つは、イヌリン生成物の全炭水化物に対する重量％で表される化合物ＧＦ２、Ｆ３、およびＦ４の和であり；この和は、別々に決定され、かつ本明細書において係数「Ｓ」と示される。化合物ＧＦ２、Ｆ３およびＦ４の量を決定する適切な既知の一方法は、Ｊｏｙｅ  ＆  Ｈｏｅｂｒｅｇｓ，Ｊ．ＡＯＡＣ  Ｉｎｔｅｒｎａｔｉｏｎａｌ，Ｖｏｌ．８３，Ｎｏ．４，２０００，ｐｐ１０２０−１０２５に開示される具体的な方法を用いた、高温キャピラリーガスクロマトグラフィー（ＨＧＣ）による方法である。
【００１２】
本発明のイヌリン生成物の更なる重要な特徴は、イヌリン関連フルクトースＦｉの合計量が、ＧＦｎまたはＦｍの形で結合される、イヌリン生成物中のフルクトースの重量％（全炭水化物に対するパーセンテージ）であることである。したがって、スクロース中または他の非イヌリン化合物中の何れかの遊離フルクトースおよび何れかの結合されたフルクトースは、Ｆｉに寄与しない。Ｆｉを決定する適切な既知の一方法は、ＡＯＡＣ  ９９７．０８方法（ｖｅｒｓｉｏｎ  ２０１３）によるものである。前記方法は、イヌリン生成物の完全な酵素加水分解を含み、ＧＦｎまたはＦｍにおいて、または他の炭水化物において、結合されたすべてのＦおよびＧ単位が、遊離フルクトースおよび遊離グルコースへと転化された、混合物が生じる。次いで、遊離フルクトースの量は、ＨＧＣなどの適切な分析法によって決定される。次いで、その結果は、非イヌリン起源のフルクトースに対して補正しなければならず、したがって、元の試料（加水分解前）中の遊離フルクトースの量および元の試料（加水分解前）中の例えばスクロースなどのフルクトース含有非イヌリン生成物の量も決定すべきであり；ＨＧＣも本明細書において適切な方法である。
【００１３】
本発明のイヌリン生成物のさらに他の重要な特徴は、イヌリン関連グルコースＧｉの総量が、ＧＦｎ形で結合される、イヌリン生成物中のグルコースの重量％（全炭水化物に対するパーセンテージ）であることである。したがって、スクロース中または非イヌリン化合物中の何れかの遊離フルクトースおよび何れかの結合されたフルクトースは、Ｇｉに寄与しない。Ｇｉを決定する適切な既知の一方法は、ＡＯＡＣ  ９９７．０８方法（ｖｅｒｓｉｏｎ  ２０１３）であり、つまりＦｉを決定する方法と同じ方法が適している。実際に、イヌリン生成物のＧｉおよびＦｉは、同時に決定することができ、しばしば同時に決定される。
【００１４】
本発明に従って、ＦｉおよびＧｉを用いて、Ｄ＝［（Ｆｉ／Ｇｉ）＋１］と定義される係数「Ｄ」が計算される。
【００１５】
係数ＳおよびＤの決定によって、本発明に従って、本明細書においてＬ＝Ｓ／Ｄと定義される、係数「Ｌ」の計算が可能となる。意外なことに、係数Ｌが特定の限界内に維持される場合、水性システム中でゲル形成する傾向が低減されるか、またはその傾向が全くないイヌリン生成物が得られ；それと同時に、そのイヌリン生成物は、前生物的（ｐｒｅｂｉｏｔｉｃ）特性および組織付与（ｔｅｘｔｕｒｅ−ｇｉｖｉｎｇ）特性などのイヌリンについて既知の特性を有し得ることが判明した。このように、本発明に従って係数Ｌは、２．０〜３．０の範囲内の値を有するはずである。
【００１６】
本発明のイヌリン生成物は、式ＧＦｎ（ｎは１０以上である）および／または式Ｆｍ（ｍは１１以上である）のイヌリン化合物を少なくとも３重量％（全炭水化物に対して測定された）含有する。これは、生成物が、多少高いＤＰのイヌリン化合物と関連する一般的な特性を示すという利点を有する。好ましくは、本発明のイヌリン生成物は、式ＧＦｎ（ｎは１０以上である）および／または式Ｆｍ（ｍは１１以上である）のイヌリン化合物を少なくとも５、６、７、８、９または少なくとも１０重量％（全炭水化物に対して測定された）含有する。
【００１７】
本発明のイヌリン生成物は、式ＧＦｎ（ｎは１０以上である）および／または式Ｆｍ（ｍは１１以上である）のイヌリン化合物を最大で２０重量％（全炭水化物に対して測定された）含有する。これは、生成物が、多少高いＤＰのイヌリン化合物によって付与される特性とＤＰ１０までのイヌリン化合物によって付与される特性との間で釣り合いがとられるという利点を有する。好ましくは、本発明のイヌリン生成物は、式ＧＦｎ（ｎは１０以上である）および／または式Ｆｍ（ｍは１１以上である）のイヌリン化合物を最大で１８、１６、１４、１２または最大で１１重量％（全炭水化物に対して測定された）含有する。
【００１８】
公知のように、イヌリン生成物は実際には、非イヌリン炭水化物などの非イヌリン化合物をいくらかの量で含有することができ、かつしばしば含有する。非イヌリン炭水化物の一般的な例は、遊離グルコース、遊離フルクトース、およびスクロースである。本発明によるイヌリン生成物は好ましくは、非イヌリン炭水化物を最大で３０重量％（全炭水化物に対して測定された）含有する。さらに好ましくは、本発明によるイヌリン生成物は好ましくは、非イヌリン炭水化物を０．５または１〜３０、好ましくは最大で２５、２０、１５、またはさらには最大で１２、１０、８、６、５、または４重量％（全炭水化物に対して測定された）含有する。
【００１９】
本発明のイヌリン生成物の好ましい実施形態において、係数Ｌの値は、少なくとも２．０５、さらに好ましくは少なくとも２．１０、２．１５、２．２０、２．２５、２．３０、２．３５、２．４０、２．４５、または少なくとも２．５０である。好ましくは、係数Ｌの値は、最大で２．９５、２．９０、２．８５、２．８０、２．７５、２．７０、２．６５、または２．６０である。
【００２０】
本発明のイヌリン生成物中のイヌリン化合物は、何れかの適切な原料または原料の組み合わせから得られ；好ましい実施形態において、イヌリン化合物は、チコリーの根に少なくとも４０重量％由来し；さらに好ましくは、イヌリン化合物は、チコリーに少なくとも５０、６０、７０、８０、９０または本質的に１００重量％由来する。好ましくは、イヌリン化合物は、チコリーに１００％由来する。
【発明を実施するための形態】
【００２１】
本明細書で使用される、「本質的に」、「本質的に〜からなる」、「本質的にすべての」という用語および同義語は、別段の指定がない限り、組成またはプロセス工程に関して、その組成またはプロセスの本質的な特徴および効果がかかる逸脱によって実質的に影響を受けないような程度にのみであるが、組成およびプロセス工程の逸脱が起こり得るという通常の意味を有する。
【００２２】
上記のように、本発明のイヌリン生成物の利点は、ゲルを形成するその傾向が大幅に低減されているか、またはないことである。したがって、本発明の好ましい実施形態は、本発明のイヌリン生成物の水性分散液または溶液に関する。次に、本発明の具体的な利点は特に、前記水性分散液または溶液が、本発明のイヌリン生成物を４５〜８０重量％、好ましくは少なくとも５０、５５、６０、６５、７０重量％、または少なくとも７１、７２、７３、７４、または７５重量％含有する場合に、はっきりと分かる。
【００２３】
本発明はさらに、本発明によるイヌリン生成物またはその水性分散液もしくはその溶液を含有する食品またはペットフード製品または動物の餌に関する。
【００２４】
主な実施形態において、本発明は、本発明のイヌリン生成物を製造する有利な方法に関する。この方法は：
・イヌリン原料を水溶液状態にし、イヌリン溶液を形成し、それによって、イヌリン原料が２．０未満の係数Ｌの値を有し、かつイヌリン原料がＧＦｎ化合物（ｎは１０以上である）および／またはＦｍ化合物（ｍは１１以上である）を８〜７５重量％含有する、調製工程；
・イヌリン溶液中のイヌリン原料の加水分解が行われ、その結果、本発明のイヌリン生成物が形成される、転化工程；
を含む。
【００２５】
本発明の方法の調製工程において、イヌリン原料が使用される。イヌリン原料は、２．０未満のＬ値を有するという条件で、何れかの適切な源の原料であることができる。好ましくは、イヌリン原料のＬ値は、０．２５〜０．７５にある。さらに、イヌリン原料は、以下に説明される転化工程中に本発明のイヌリン生成物を確実に形成することができるようにするため、ＧＦｎ化合物（ｎは１０以上である）かつ／またはＦｍ化合物（ｗは１１以上である）を８〜７５重量％、好ましくは少なくとも１０、１５、２０、２５、３０、３５、４０、４５、または少なくとも５０重量％の十分な量で含有すべきである。
【００２６】
好ましくは、イヌリン原料はチコリーの根に由来する。かかる原料はそれ自体が公知である。チコリーの根から得られる天然イヌリン、つまり、根からそれを単離するのに必要な工程のみにかけられているが、その性質を改変する更なる工程にはかけられておらず、天然チコリーイヌリンとも呼ばれるイヌリンは、適切なイヌリン原料の一例である。
【００２７】
イヌリン原料を水溶液状態にする。多くのイヌリン原料に関して、長鎖イヌリン化合物を溶解してイヌリン溶液を形成するために、室温を超える温度に、例えば５０〜１１０℃に、好ましくは少なくとも６０、７０、８０に、または９０または９５℃にその温度を上げることを必要とする。好ましくは、イヌリン溶液は、イヌリン原料を２０〜５０重量％含有する。
【００２８】
調製工程後に、イヌリン溶液を転化工程にかける。転化工程において、イヌリン溶液中でのイヌリン原料の加水分解が行われる。かかる加水分解はそれ自体が公知であり、化学的経路を介して、例えばｐＨを下げることによって、またはイヌリン溶液を酵素の作用にさらすことによって行うことができる。係数Ｌの値が２．０未満から、上述の本発明のイヌリン生成物の係数Ｌの値または好ましい値の範囲内に上がるように、加水分解を行わなければならない。すなわち、加水分解工程では、係数Ｓ、つまりＧＦ２、Ｆ３、およびＦ４を構成する化合物の十分な量の形成が起こらなければならず；これによって、Ｓの値が増加し、その結果として、係数Ｌの値が増加する。酵素加水分解によって転化工程を実施する場合において、イヌリン化合物の末端テール（ｅｎｄ  ｔａｉｌ）から１つのフルクトース部位を除去することによって主に作用する酵素（エキソイヌリナーゼの間でしばしば見られる作用様式）は一般に、本発明の方法にはあまり適していない。対照的に、特にＥＣ３．２．１．７に分類される酵素などのエンドイヌリナーゼは、本発明の転化で使用するのにかなり適している場合が多いことが判明した。
【００２９】
転化工程における加水分解の必要強度は異なり、つまり、イヌリン原料からオリゴフルクトースを調製する目標を有する加水分解と比べて、その強度は低いことに留意されたい。その結果、転化工程の正確な条件は、イヌリン原料からオリゴフルクトースを調製する方法とは異なる。酵素転化については、その違いは一般に、固形分、温度、ｐＨおよび／または時間などのプロセスパラメーターと共に、オリゴフルクトース調製プロセスと比較して、本発明の方法では低いかもしれない、異なる酵素濃度の組み合わせにある。したがって、一部の通常の実験が、本発明の転化工程を実施するために、酵素の適切なタイプおよび量を見つけるため、かつ温度、ｐＨまたは濃度の適切な値を見つけるために必要であり；転化工程が酸性加水分解によって実施される場合にも、必要に応じて変更を加えて、これが適用される。
【００３０】
本発明はさらに、イヌリン組成物を調製するプロセスであって：
・イヌリン原料を水溶液状態にして、イヌリン溶液が形成される初期工程であって、前記イヌリン原料が、Ｌ値２．０未満を有し、かつ天然チコリーイヌリンである、工程；
・イヌリン溶液中のイヌリン原料の加水分解が、Ｌ値が２．０〜３．０にあるように実施されて、イヌリン組成物が形成される、反応工程；
を含む、プロセスに関する。
【００３１】
イヌリン組成物を調製するプロセスにおける初期工程は、調製工程の何れかの実施形態を含む、本発明のイヌリン生成物の調製に関して上述される調製工程と同じであるが、原料が天然チコリーイヌリン、つまりチコリーの根に由来する天然イヌリンであるべきであるという境界条件を有する。イヌリン組成物を調製するプロセスにおける反応工程は、転化工程の何れかの実施形態を含む本発明のイヌリン生成物の調製に関して上述される転化工程と同じである。
【００３２】
本発明は、それに限定されることなく、以下の実施例および比較的評価によって説明される。
【実施例】
【００３３】
チコリーの根に由来する天然イヌリンがイヌリン原料として使用された。係数Ｌの値は上述の方法に従って決定され、０．４０と判明した。ＤＰ１１以上を有する化合物ＧＦｎおよび／またはＦｍの重量パーセンテージ（全炭水化物に対する）は５０．６重量％であると決定された。
【００３４】
本発明の調製工程は、６４℃でイヌリン原料の２８重量％水溶液を調製することによって行われた。本発明による転化工程は、酵素としてＮｏｖｏｚｙｍｅｓ  ９６０（非固定化）乾燥物０．１５Ｕ／グラムの低用量を用いて、６４℃にてｐＨ５．１で２０時間、酵素加水分解することによってバッチ反応器内で行われた。加水分解は、ｐＨを６．５にすることによって止められた。
【００３５】
上記で参照される方法に従って、ＨＧＣを用いて、得られた生成物を分析した。係数Ｓは２５．４重量％であると決定され；係数Ｄは１０．８であると決定され；その結果、係数Ｌは２．３５であると算出された。ＤＰ１１以上を有する化合物ＧＦｎおよび／またはＦｍの重量パーセンテージ（全炭水化物に対する）は１５．９重量％であると決定された。イヌリン生成物中の非イヌリン炭水化物は、合計量９．７重量％の遊離グルコース、遊離フルクトースおよびスクロースであった。
【００３６】
イヌリン生成物の水溶液は、蒸発させることによって固形分７０重量％に濃縮され、その工程によって、酵素の恒久的な不活性化も生じ、次いで静置され、室温に冷却された。ゲル形成は確認されず；初期にも、室温に冷却された後にも、確認されなかった。
【００３７】
比較的評価
米国特許出願公開第Ａ−２００１／０１６５７２号明細書の実施例１の評価を行った。この評価から、以下の情報が得られた：
・米国特許出願公開第Ａ−２００１／０１６５７２号明細書の表１には、「Ｔｈｅ  ｃｏｍｐｏｓｉｔｉｏｎ  ｏｆ  ｔｈｅ  ｉｎｖｅｎｔｉｏｎ．．．」のタイトルでイヌリン生成物の組成物が詳述されている。
・イヌリン生成物は、ＧＦ２を０．１８重量％、Ｆ３を３２重量％、およびＦ４を３１．１１重量％含有する。その結果として、パラメーターＳの値が６３．２９となる。
・イヌリン生成物は天然イヌリンから調製されず、ＧＦ、遊離Ｆ、または遊離Ｇを含有しない、平均重合度（ＤＰ）２７を有するイヌリンからなる原料から調製された。このことから、結果として、パラメーターＤは２７の値を有する。
・係数Ｌは６３．２９／２７であり、２．３４に等しい。
・イヌリン生成物は、ＧＦｎ化合物（ｎは１０以上である）もＦｍ化合物（ｍは１１以上である）も含有しない。
【００３８】
組織化特性（ｔｅｘｔｕｒｉｚｉｎｇ  ｐｒｏｐｅｒｔｙ）を提供した、本発明による実施例のイヌリン生成物とは対照的に、比較的評価のイヌリン生成物は、ヨーグルトまたはフルーツ調製物などの食品に有意な組織化特性を提供しなかった。
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
多分散系であり、かつＳ／Ｄ比として定義される係数Ｌを有するイヌリン生成物において、
・Ｓが、全炭水化物に対する重量％で表される前記イヌリン生成物中の化合物ＧＦ２、Ｆ３、およびＦ４の和に等しく；
・Ｄが、［（Ｆｉ／Ｇｉ）＋１］に等しく、Ｆｉが、前記イヌリン生成物中のイヌリン関連フルクトースの量であり、Ｇｉが、前記イヌリン生成物中のイヌリン関連グルコースの量であり、ＦｉおよびＧｉは全炭水化物に対する重量％で表され；
Ｌの値が２．０〜３．０の範囲にあり、かつ全炭水化物に対して前記イヌリン生成物３〜２０重量％が、
・ＧＦｎ化合物（ｎは１０以上である）かつ／または
・Ｆｍ化合物（ｍは１１以上である）
からなることを特徴とする、イヌリン生成物。
【請求項２】
請求項１に記載のイヌリン生成物において、遊離グルコース、遊離フルクトース、およびスクロースなどの非イヌリン炭水化物を、全炭水化物に対して最大で３０重量％含有することを特徴とする、イヌリン生成物。
【請求項３】
請求項１乃至２の何れか一項に記載のイヌリン生成物において、Ｌの値が２．２〜２．８にあることを特徴とする、イヌリン生成物。
【請求項４】
請求項１乃至３の何れか一項に記載のイヌリン生成物において、天然チコリーイヌリンから調製されることを特徴とする、イヌリン生成物。
【請求項５】
水または水相に分散または溶解されたイヌリン生成物からなる、水性分散液または水溶液において、前記イヌリン生成物が、請求項１乃至４の何れか一項に記載のイヌリン生成物であることを特徴とする、水性分散液または水溶液。
【請求項６】
請求項１乃至５の何れか一項に記載のイヌリン生成物または水性分散液または水溶液を含有することを特徴とする、食品。
【請求項７】
請求項１乃至５の何れか一項に記載のイヌリン生成物または水性分散液または水溶液を含有することを特徴とする、動物の餌またはペットフード製品。
【請求項８】
・イヌリン原料を水溶液状態にして、イヌリン溶液を形成する調製工程であって、イヌリン原料が２．０未満の係数Ｌの値を有し、かつ前記イヌリン原料が、ＧＦｎ化合物（ｎは１０以上である）および／またはＦｍ化合物（ｍは１１以上である）を８〜７５重量％含有する、工程；
・前記イヌリン溶液中の前記イヌリン原料の加水分解を行い、その結果、イヌリン生成物が形成される、転化工程；
を含むことを特徴とする、請求項１乃至４の何れか一項に記載のイヌリン生成物を製造するプロセス。
【請求項９】
請求項８に記載のプロセスにおいて、前記イヌリン原料が天然チコリーイヌリンであることを特徴とする、プロセス。
【請求項１０】
請求項９に記載のプロセスにおいて、前記天然チコリーイヌリンが、０．２５〜０．７５にあるＬ値を有することを特徴とする、プロセス。
【国際調査報告】
2018522990.tif 000002
2018522990.tif 000003